(57)【要約】【解決する課題】鉄筋コンクリート床に熱媒体パイプを適正に設定する。【課題を解決するための手段】  鉄筋（１２）を縦横に網目状に組んで構成される上部鉄筋層（１２Ａ）と下部鉄筋層（１２Ｂ）と、これら上部鉄筋層と下部鉄筋層との間に暖房や冷房用の熱媒体を通すための熱媒体パイプ（１４）を配管し、生コンクリートを打設して鉄筋コンクリート床を作るのに使用するパイプホルダー（１０）。上部鉄筋層（１２Ａ）の鉄筋（１２）に係合する形状とされた上部鉄筋支持部（１０ａ）と、  上部鉄筋支持部から下方に間隔をあけて設けられ、下部鉄筋層の鉄筋に係合する形状とされた下部鉄筋支持部（１０ｂ）と、上部鉄筋支持部（１０ａ）と下部鉄筋支持部（１０ｂ）との中間位置において、熱媒体パイプ（１４）を保持する形状とされた熱媒体パイプ保持部（１０ｃ）とを備える。【選択図】  図２
2014173372.tif 000002
【特許請求の範囲】
【請求項１】
鉄筋を縦横に網目状に組んで構成される上部鉄筋層と下部鉄筋層と、これら上部鉄筋層と下部鉄筋層との間に暖房や冷房用の熱媒体を通すための熱媒体パイプを配管し、生コンクリートを打設して鉄筋コンクリート床を作るのに使用される熱媒体パイプホルダーであって、
前記上部鉄筋層の鉄筋に係合する形状とされた上部鉄筋支持部と、
該上部鉄筋支持部から下方に間隔をあけて設けられ、前記下部鉄筋層の鉄筋に係合する形状とされた下部鉄筋支持部と、
前記上部鉄筋支持部と下部鉄筋支持部との中間位置において、前記熱媒体パイプを保持する形状とされた熱媒体パイプ保持部と
を備える熱媒体パイプホルダー。
【請求項２】
前記上部鉄筋支持部が、前記上部鉄筋層の鉄筋の縦筋と係合し、
前記下部鉄筋支持部が、前記下部鉄筋層の鉄筋の縦筋と係合するようにする
ようにした
請求項１に記載の熱媒体パイプホルダー。
【請求項３】
前記上部鉄筋支持部が、前記上部鉄筋層の鉄筋の縦筋と係合し、
前記下部鉄筋支持部が、前記下部鉄筋層の鉄筋の横筋を係合する
ようにした請求項１に記載の熱媒体パイプホルダー。
【請求項４】
前記上部鉄筋支持部及び下部鉄筋支持部が、それぞれ、前記上部鉄筋層及び下部鉄筋層の鉄筋を受け入れる開口と、受け入れた鉄筋を収納する収納部とを有し、
前記熱媒体パイプ保持部が前記熱媒体パイプを受け入れる開口と、受け入れた開口を収納する収納部と
を有する請求項１乃至３のいずれかに記載の熱媒体パイプホルダー。
【請求項５】
鉄筋を縦横に網目状に組んで構成される上部鉄筋層と下部鉄筋層と、これら上部鉄筋層と下部鉄筋層との間に暖房や冷房用の熱媒体を通すための熱媒体パイプを配管し、生コンクリートを打設して鉄筋コンクリート床を作る方法において、
請求項１乃至４のいずれかに記載の熱媒体パイプホルダーを複数用意し、
各熱媒体パイプホルダーの前記上部鉄筋支持部を前記上部鉄筋層の鉄筋に係合し、前記下部鉄筋支持部を前記下部鉄筋層の鉄筋に係合するとともに、前記熱媒体パイプ保持部に前記熱媒体パイプに保持するようにして熱媒体パイプを配置し、
その後、コンクリートの打設を行うようにした鉄筋コンクリート床を造る方法。
【請求項６】
前記上部鉄筋層の少なくとも１つの鉄筋及び前記下部鉄筋層の前記少なくとも１つの鉄筋に上下方向で対応した位置で延びる鉄筋との間に、それら鉄筋の長さ方向で所定間隔を開けて前記熱媒体パイプホルダーを設け、熱媒体パイプをそれら複数の熱媒体ホルダーの前記熱媒体パイプ保持部に通して保持し、当該熱媒体パイプがそれら鉄筋に沿って延びるようにする請求項５に記載の鉄筋コンクリート床を造る方法。
【発明の詳細な説明】
【技術分野】
【０００１】
本発明は、冷房や暖房のための熱媒体を通すパイプを埋設した鉄筋コンクリート床に関し、生コンクリートを打設するときに熱媒体パイプを適切に保持するための熱媒体パイプホルダー及び該ホルダーを用いて鉄筋コンクリート床を造る方法に関する
【０００２】
近年、コンクリート床に熱媒体パイプを埋設し、冷房や暖房の機能をもたせた鉄筋コンクリート床が造られるようになってきている。通常の鉄筋コンクリート床を造るときは、鉄筋を縦横に網目状に組んで水平な鉄筋層としたものを上下に間隔を開けて設けて上部鉄筋層及び下部鉄筋層とし、そこに生コンクリートを打設すなわち流し込む（例えば、特許文献１参照）。このような鉄筋コンクリート床に熱媒体パイプを埋設するときは、上部鉄筋層及び下部鉄筋層の間に一本の熱媒体パイプを適宜曲げながら鉄筋層間の全空間領域に配置した上で、生コンクリートの打設を行う。多くの場合、熱媒体パイプは縦又は横の鉄筋に平行に走らせたものを相互に一定間隔を開けて配置されたものとする。
【先行技術文献】
【特許文献】
【０００３】
【特許文献１】特開平２０１１-２４６９８３号
【発明の概要】
【発明が解決しようとする課題】
【０００４】
上述のように生コンクリートの打設を行う場合は、通常、作業者がコンクリートポンプ車から延びる生コン供給ホースの先端をもって、上部鉄筋層の上を歩きながら鉄筋層全体に生コンクリートを供給し、左官作業で仕上げる。しかし、縦横の網目状に組まれる鉄筋は、通常約２００ｍｍの間隔で組まれるので、作業員（特にコンクリート打設をした後に鉄筋がコンクリート内に埋め込まれて見えない状態で行う左官作業の作業員）が上部鉄筋層の鉄筋から足を滑らせてしまうことがある。従って、上部鉄筋層の下に熱媒体パイプを配置している場合には、この熱媒体パイプを踏んで損傷を与える虞がある。また、通常は、熱媒体パイプは下部鉄筋層の上に載置されるが、打設される生コンクリートによって当初設定した位置からずれてしまう虞もある。
【０００５】
本発明は、上述のような熱媒体パイプの損傷や配置位置からのずれなどを防止することを可能とする鉄筋コンクリート床用熱媒体パイプホルダーを提供することを目的とする。
【課題を解決するための手段】
【０００６】
すなわち、本発明は
鉄筋を縦横に網目状に組んで構成される上部鉄筋層と下部鉄筋層と、これら上部鉄筋層と下部鉄筋層との間に暖房や冷房用の熱媒体を通すための熱媒体パイプを配管し、生コンクリートを打設して鉄筋コンクリート床を作るのに使用される熱媒体パイプホルダーであって、
前記上部鉄筋層の鉄筋に係合する形状とされた上部鉄筋係合部と、
該上部鉄筋係合部から下方に間隔をあけて設けられ、前記下部鉄筋層の鉄筋に係合する形状とされた下部鉄筋係合部と、
前記上部鉄筋係合部と下部鉄筋係合部との中間位置において、前記熱媒体パイプを保持する形状とされた熱媒体パイプ保持部熱媒体パイプ保持部と
を備える鉄筋コンクリート床用熱媒体パイプホルダーを提供する。
【０００７】
熱媒体パイプホルダーは、上部及び下部鉄筋層の鉄筋と係合することにより所要の位置に簡単に設定でき、熱媒体パイプを上部及び下部鉄筋層の間の所要の位置（高さ）で保持することを可能とする。熱媒体パイプを上部鉄筋層の縦筋又は横筋の下側で、それら縦筋又は横筋に沿って設定することにより、作業者が上部鉄筋層の鉄筋から足を踏み外しても、その作業者の足によって踏みつけられ損傷が生じるといった虞も大幅に低減できる。また、熱媒体パイプが設定されている床面からの位置が特定されるので、仕上がった床面にユニットバス、便器、キッチンなどの什器衛生設備やクローゼットなどの収納設備や間仕切り壁などを設置するのに、床面にドリルで穴を開けてビス留めするときに、ドリルが熱媒体パイプの設定されている深さまにまで届かないようにすることができる。従来は、前述のように、下部鉄筋層の上に配置した熱媒体パイプが打設される生コンクリートによって設定位置からずれて、その設定高さも変わってしまうことがあり、穴明け作業をするときにドリルで熱媒体パイプを損傷してしまう虞があったが、本発明に係る熱媒体パイプホルダーを使用すれば、そのような損傷の可能性を無くすことができる。
【０００８】
具体的には、
前記上部鉄筋支持部が、前記上部鉄筋層の鉄筋の縦筋と係合し、
前記下部鉄筋支持部が、前記下部鉄筋層の鉄筋の縦筋と係合する
ようにすることができる。
【０００９】
これに対して、
前記上部鉄筋支持部が、前記上部鉄筋層の鉄筋の縦筋と係合し、
前記下部鉄筋支持部が、前記下部鉄筋層の鉄筋の横筋を係合するようにする
ようにすることができる。
【００１０】
ここで横筋及び縦筋とは、縦横に組まれる鉄筋の相対的な延びの方向の鉄筋を意味し、絶対的座標で決められたものではない。すなわち横筋と縦筋は、上部及び下部鉄筋層を見る方向によって変化するものであり、横筋は縦筋に、また、縦筋は横筋となり得る。
【００１１】
また、
前記上部鉄筋支持部及び下部鉄筋支持部が、それぞれ、前記上部鉄筋層及び下部鉄筋層の鉄筋を受け入れる開口と、受け入れた鉄筋を収納する収納部とを有し、
前記熱媒体パイプ保持部が前記熱媒体パイプを受け入れる開口と、受け入れた開口を収納する収納部と
を有するようにすることができる。
【００１２】
更に、本発明は、
鉄筋を縦横に網目状に組んで構成される上部鉄筋層と下部鉄筋層と、これら上部鉄筋層と下部鉄筋層との間に暖房や冷房用の熱媒体を通すための熱媒体パイプを配管し、生コンクリートを打設して鉄筋コンクリート床を作る方法において、
上述の熱媒体パイプホルダーを複数用意し、
各熱媒体パイプホルダーの前記上部鉄筋支持部を前記上部鉄筋層の鉄筋に係合し、前記下部鉄筋支持部を前記下部鉄筋層の鉄筋に係合するとともに、前記熱媒体パイプ保持部に前記熱媒体パイプに保持するようにして熱媒体パイプを配置し、
その後、コンクリートの打設を行うようにした鉄筋コンクリート床を造る方法を提供する。
【００１３】
具体的には、
前記上部鉄筋層の少なくとも１つの鉄筋及び前記下部鉄筋層の前記少なくとも１つの鉄筋に上下方向で対応した位置で延びる鉄筋との間に、それら鉄筋の長さ方向で所定間隔を開けて前記熱媒体パイプホルダーを取り付け、熱媒体パイプをそれら複数の熱媒体ホルダーの前記熱媒体パイプ保持部に通して保持し、当該熱媒体パイプがそれら鉄筋に沿って延びるようにすることができる。
【００１４】
以下、本発明に係る鉄筋コンクリート床用熱媒体パイプホルダー及びそれを用いて鉄筋コンクリート床を造る方法の実施形態を添付図面に基づき説明する。
【図面の簡単な説明】
【００１５】
【図１】本発明に係る鉄筋コンクリート床用熱媒体パイプホルダーを、網目状に組んだ鉄筋に配置して熱媒体パイプを配置したときの一例を示す概略平面図である。
【図２】図１におけるII-II線に沿って見た図であり、上部鉄筋層及び下部鉄筋層の図１で見て縦に延びる鉄筋に本発明に係るパイプホルダーを係合させて、そのパイプホルダーに熱媒体パイプを保持させた状態を示しており、横方向に延びる鉄筋は仮想線で示してある。
【図３】本発明に係る鉄筋コンクリート床用熱媒体パイプホルダーのより具体的例を示す側面図である。
【図４】図３の鉄筋コンクリート床用熱媒体パイプホルダーの正面図である。
【図５】本発明に係る熱媒体パイプホルダーの種々の変形例を示す概念図である。
【図６】本発明に係るパイプホルダーを使った場合の上部及び下部鉄筋層と熱媒体パイプとの位置関係を示す説明図である。
【発明を実施するための形態】
【００１６】
図１は、本発明に係る熱媒体パイプホルダー１０を用いて鉄筋コンクリート床を造るために設置された鉄筋１２に対して配置された熱媒体パイプ１４の一例を示している。すなわち、この例では熱媒体パイプ１４は、図１における縦に延びる鉄筋すなわち縦筋１２ａに沿って配置されている。図２に示すように、熱媒体パイプホルダー１０は、縦筋１２ａと横筋１２ｂからなる上部鉄筋層１２Ａの縦筋１２ａに係合する上部鉄筋係合部１０ａと、上部鉄筋係合部１０ａから下方に間隔をあけて設けられ、縦筋１２ａと横筋１２ｂとからなる下部鉄筋層１２Ｂの縦筋１２ａに係合する下部鉄筋係合部１０ｂと、上部鉄筋係合部１０ａ及び下部鉄筋係合部１０ｂとの中間位置において、熱媒体パイプ１４を保持する熱媒体パイプ保持部１０ｃとを有する。
【００１７】
具体的には、上部鉄筋係合部１０ａ及び下部鉄筋係合部１０ｂが、それぞれ、縦筋１２ａを受け入れる開口１０ｄと、受け入れた鉄筋を収納する収納部１０ｅとを有し、熱媒体パイプ保持部１０ｃが熱媒体パイプ１４を受け入れる開口１０ｆと、受け入れた開口を収納する収納部１０ｇとを有している。より具体的には、これら上部鉄筋係合部１０ａ、下部鉄筋係合部１０ｂ及び熱媒体パイプ保持部１０ｃは図２で見てＣ字状になされており、上部鉄筋係合部１０ａ及び下部鉄筋係合部１０ｂの収納部１０ｅに受け入れられた鉄筋１２ａ、熱媒体パイプ保持部１０ｃの収納部１０ｇに受け入れられた熱媒体パイプ１４は、これら収納部１０ｅ、１０ｇから外れにくいようにされている。
【００１８】
図３は、本発明に係る熱媒体パイプホルダー１０のより具体的な例を示す。すなわち、この熱媒体パイプホルダー１０は、基本的には図２に示すものと同じ形状であり、上部鉄筋係合部１０ａ、下部鉄筋係合部１０ｂ及び熱媒体パイプ保持部１０ｃを有する。この熱媒体パイプホルダー１０はポリエチレン、ポリプロピレン、ＡＢＳ樹脂などの樹脂や金属で作ることが好ましい。上部鉄筋係合部１０ａ及び下部鉄筋係合１０ｂは同一形状とされており、それらの開口１０ｄの上下の面には、収納部１０ｅに向けて斜めに延びる一対の係合片１０ｈが設けられており、収納部１０ｅに受け入れられる鉄筋と係合して保持するようにされている。係合片１０ｈは弾性を有しており、収納部に受け入れられる鉄筋の径に応じて適宜変形するようになっている。
【００１９】
熱媒体パイプ保持部１０ｃは、断面円形の熱媒体パイプ１４に合わせて収納部１０ｇが円形とされており、開口部１０ｆには上下方向で広がる一対の傾斜部１０ｉが設けられており、熱媒体パイプ１４の受入部１０ｇへの押し込みを容易にしている。図４に示すように、熱媒体パイプ保持部１０ｃは上部鉄筋係合部１０ａ及び下部鉄筋係合１０ｂよりも長くされており、熱媒体パイプ１４を安定して保持することができるようになっている。
【００２０】
図５は、本発明に係る熱媒体パイプホルダー１０の種々の変形例を示している。これら熱媒体パイプホルダー１０は、上部鉄筋係合部１０ａ、下部鉄筋係合部１０ｂ及び熱媒体パイプ保持部１０ｃの開口１０ｄ、１０ｆが様々な方向に向けて開口しており、また、上部鉄筋係合部１０ａ、下部鉄筋係合部１０ｂ及び熱媒体パイプ保持部１０ｃが様々な形態で連結できることを示している。
【００２１】
本発明に係る熱媒体パイプホルダー１０を使用するに当たっては、先ず、上部及び下部鉄筋層１２Ａ、１２Ｂに組まれた鉄筋１２の（図示の例においては）縦筋１２ａに係合させ、当該熱媒体パイプホルダー１０を設定する。図１に示す例では、縦筋１２ａと横筋１２ｂとが交差する部分に設定している。次に、上部鉄筋層１２Ａと下部鉄筋層１２Ｂとの間に配置され、各縦筋１２ａに沿って延びるようにされた熱媒体パイプ１４を各熱媒体パイプホルダー１０の熱媒体パイプ保持部１０ｃの収納部１０ｇに係合して、該熱媒体パイプ１４を保持する。そのようにした状態で、作業者が生コンクリートの打設を行う。
【００２２】
熱媒体パイプ１４をこのように配置することにより、当該熱媒体パイプ１４を確実に保持することができ、しかも、上部鉄筋層１２Ａの鉄筋（図示の例では縦筋１２ａ）の下に平行に配置することができる。このため作業者が上部鉄筋層１２Ａの上を歩きながらコンクリートポンプ車から延びる生コンホースの先端部分を保持しながら生コンクリートの打設を行う場合や左官作業者が打設後のコンクリート面を平らに均す作業をする場合、作業者が上部鉄筋層１２Ａの鉄筋１２から足を踏み外しても、縦筋１２ａの下に配置されている熱媒体パイプ１４がその足によって踏みつけられて損傷したり、供給される生コンクリートによって熱媒体パイプが当初配置した位置からずれてしまうという虞を大幅に低減することができる。また、熱媒体パイプ１４は、図６に示されるように上部鉄筋層１２Ａと下部鉄筋層１２Ｂとの中間位置に適正に保持することが可能となる。
【００２３】
以上、本発明に係る熱媒体パイプホルダー１０の実施形態につき説明したが、本発明はこれに限定されるものではない。例えば、熱媒体パイプホルダー１０は図示したものを複数連結したものとすることができる。
【符号の説明】
【００２４】
熱媒体パイプホルダー１０；上部鉄筋係合部１０ａ；下部鉄筋係合部１０ｂ；熱媒体パイプ保持部１０ｃ；開口１０ｄ；収納部１０ｅ；開口１０ｆ；収納部１０ｇ;係合片１０ｈ；傾斜部１０ｉ；鉄筋１２；縦筋１２ａ；横筋１２ｂ；上部鉄筋層１２Ａ；下部鉄筋層１２Ｂ；熱媒体パイプ１４
【図１】
2014173372.tif 000003
【図２】
2014173372.tif 000004
【図３】
2014173372.tif 000005
【図４】
2014173372.tif 000006
【図５】
2014173372.tif 000007
【図６】
2014173372.tif 000008